(57)【要約】  大型化を抑制しながら、所望の被写体を撮影することが可能な画像処理回路を提供する。  センサ制御部３１は、動画モードと静止画撮影モードと有する。メカニカルシャッタ２１が開いた状態でセンサ制御部が動画モードで駆動している際にシャッタボタンが操作されると、撮像制御部３７は、センサ制御部の駆動を停止し、その後、イメージセンサ２３を所定の露光時間だけ露光した後にメカニカルシャッタ２１を閉じる。また、撮影制御部３７は、メカニカルシャッタ２１が閉じている間にセンサ制御部３１を静止画撮影モードに切り替える。
2007145032.tif 000002
【特許請求の範囲】
【請求項１】
露光によって画像を表す画像信号を出力するイメージセンサと、前記イメージセンサの露光を遮断可能なメカニカルシャッタとを制御し、また、シャッタボタンと接続された画像処理回路であって、
前記イメージセンサから定期的に前記画像信号を出力する動画モードと、前記イメージセンサから静止画像用の前記画像信号を出力する静止画撮影モードと、を有するセンサ制御部と、
前記メカニカルシャッタが開いた状態で前記センサ制御部が前記動画モードで駆動している際に前記シャッタボタンが操作されると、前記センサ制御部の駆動を停止し、その後、前記イメージセンサを所定の露光時間だけ露光した後に前記メカニカルシャッタを閉じ、前記メカニカルシャッタが閉じている間に前記センサ制御部のモードを前記静止画撮影モードに切り替える撮像制御部と、を含む画像処理回路。
【請求項２】
請求の範囲１に記載の画像処理回路において、
前記イメージセンサから画像信号を受け付け、該画像信号に画像処理を施す画像処理部をさらに含み、
前記撮像制御部は、前シャッタボタンが操作されると、前記画像処理部の駆動をさらに停止する、画像処理回路。
【請求項３】
撮影機能つき携帯端末であって、
露光によって画像を表す画像信号を出力するイメージセンサと、
前記イメージセンサの露光を遮断可能なメカニカルシャッタと、
シャッタボタンと、
前記イメージセンサから定期的に前記画像信号を出力する動画モードと、前記イメージセンサから静止画像用の前記画像信号を出力する静止画撮影モードと、を有するセンサ制御部と、
前記メカニカルシャッタが開いた状態で前記センサ制御部が前記動画モードで駆動している際に前記シャッタボタンが操作されると、前記センサ制御部の駆動を停止し、その後、前記イメージセンサを所定の露光時間だけ露光した後に前記メカニカルシャッタを閉じ、前記メカニカルシャッタが閉じている間に前記センサ制御部のモードを前記静止画撮影モードに切り替える撮像制御部と、を含む携帯端末。
【請求項４】
請求の範囲３に記載の携帯端末において、
前記イメージセンサから画像信号を受け付け、該画像信号に画像処理を施す画像処理部をさらに含み、
前記撮像制御部は、前記受付部が前記変更指示を受け付けると、前記画像処理部の駆動をさらに停止する、携帯端末。
【請求項５】
露光によって画像を表す画像信号を出力するイメージセンサから定期的に前記画像信号を出力する動画モードと前記イメージセンサから静止画像用の前記画像信号を出力する静止画撮影モードとを有するセンサ制御部を含み、前記イメージセンサと、前記イメージセンサの露光を遮断可能なメカニカルシャッタと、を制御し、また、シャッタボタンと接続された画像処理回路が行うセンサ制御方法であって、
前記メカニカルシャッタが開いた状態で前記センサ制御部が前記動画モードで駆動している際に前記シャッタボタンが操作されると、前記センサ制御部の駆動を停止する停止ステップと、
前記イメージセンサを所定の露光時間だけ露光した後に前記メカニカルシャッタを閉じる閉鎖ステップと、
前記メカニカルシャッタが閉じている間に前記センサ制御部のモードを前記静止画撮影モードに切り替える切替ステップと、を含むセンサ制御方法。
【請求項６】
請求の範囲５に記載のセンサ制御方法において、
前記イメージセンサから画像信号を受け付ける受付ステップと、
前記画像信号に画像処理を施す画像処理ステップと、
前記シャッタボタンが操作されると、前記画像信号に施している画像処理を停止する処理停止ステップと、をさらに含むセンサ制御方法。
【請求項７】
露光によって画像を表す画像信号を出力するイメージセンサと、前記イメージセンサの露光を遮断可能なメカニカルシャッタと、シャッタボタンと、前記イメージセンサから定期的に前記画像信号を出力する動画モードと前記イメージセンサから静止画像用の前記画像信号を出力する静止画撮影モードとを有するセンサ制御部と、を含む携帯端末が行うセンサ制御方法であって、
前記メカニカルシャッタが開いた状態で前記センサ制御部が前記動画モードで駆動している際に前記シャッタボタンが操作されると、前記センサ制御部の駆動を停止する停止ステップと、
前記イメージセンサを所定の露光時間だけ露光した後に前記メカニカルシャッタを閉じる閉鎖ステップと、
前記メカニカルシャッタが閉じている間に前記センサ制御部のモードを前記静止画撮影モードに切り替える切替ステップと、を含むセンサ制御方法。
【請求項８】
請求の範囲７に記載のセンサ制御方法において、
前記イメージセンサから画像信号を受け付ける受付ステップと、
前記画像信号に画像処理を施す画像処理ステップと、
前記シャッタボタンが操作されると、前記画像信号に施している画像処理を停止する処理停止ステップと、をさらに含むセンサ制御方法。
【発明の詳細な説明】
【技術分野】
【０００１】
本発明は、画像および動画像を撮影する画像処理回路、携帯端末およびセンサ制御方法に関する。
【背景技術】
【０００２】
通常、デジタルカメラでは、プレビュー用の動画像が表示部に表示される。使用者は、その表示された動画像に所望の被写体が写ると、シャッタボタンを押下して、その被写体を静止画像として撮影する。【０００３】
デジタルカメラでは、撮影する画像の画素数が多いと、イメージセンサからの画像信号の読み出しおよびその画像信号に施す画像処理などに時間がかかる。このため、プレビュー用の動画像が静止画像と同じ画素数であると、デジタルカメラの動作に遅延が起こる可能性がある。【０００４】
このため、デジタルカメラは、静止画像を撮影する際に、イメージセンサの駆動モードを、プレビュー用の動画像を撮影する動画モードから、その動画像より画素数の多い静止画像を撮影する静止画撮影モードに切り替える必要がある。【０００５】
動画モードと静止画撮影モードとを切り替える技術は、既に提案されている。【０００６】
図１は、このような技術を用いたデジタルカメラの動作を説明するためのタイムチャートである。なお、デジタルカメラは、動画モードで駆動し、その後、シャッタボタンが押下されて、静止画撮影モードに切り替えられたとする。【０００７】
デジタルカメラのイメージセンサは、露光により電荷を蓄え（露光４２）、その電荷を画像信号（画１）として出力する（センサ出力４１）。ＩＳＰ（Image  Signal  Processor）は、その画像信号を取り込みむ（取込４４）。ＩＳＰは、その取り込んだ画像信号に画像処理を施し、その画像処理を施した画像信号を出力する（ＩＳＰ出力４５）。その画像信号は、モニタに表示される。【０００８】
また、イメージセンサは、その画像信号（画１）を出力すると、次の画像信号（画２）を撮影するための露光を開始する。【０００９】
画像信号（画２）の露光中にシャッタボタンが押下されると（シャッタ押下４７）、先ず、デジタルカメラは、モニタへの画像信号の表示を停止する（内部処理４６「モニタ停止」）。なお、デジタルカメラがモニタへの画像信号の表示を停止している間でも、イメージセンサによる露光および画像信号の出力は行われている。【００１０】
続いて、デジタルカメラは、動画モードを静止画撮影モードに切り替え（内部処理４６「切替」）、イメージセンサに静止画像（画５）のための露光を開始させる。その後、所定の時間が経過すると、デジタルカメラは、メカニカルシャッタを閉じて露光を終了し（メカシャッタ４３「閉鎖」）、その露光によって蓄えられた画像を出力する。【００１１】
しかしながら、イメージセンサの駆動モードが切り替えられてから露光が開始されると、シャッタボタンが押下されてから露光が開始されるまで時間がかかる。このため、使用者は、所望の被写体を撮影できない可能性がある。【００１２】
特許文献１（特開２０００−２３０１６号公報）には、シャッタボタンが押下されてから露光が開始されるまで時間を軽減することが可能なデジタルカメラが記載されている。【００１３】
このデジタルカメラは、第一のＣＣＤセンサと、第一のＣＣＤセンサより画素数の多い第二のＣＣＤセンサとを備える。動画モード中では、第一のＣＣＤセンサで動画像が撮影され、その動画像がＬＣＤに表示される。また、ライブビュー中にシャッタボタンが押下されると、第二のＣＣＤセンサによる静止画像の撮影が開始される。【００１４】
これにより、イメージセンサの駆動モードを切り替えなくても良くなるため、シャッタボタンが押下されてから撮影が開始されるまでの時間を軽減することが可能になる。
【特許文献１】特開２０００−２３０１６号公報
【発明の開示】
【発明が解決しようとする課題】
【００１５】
近年、デジタルカメラは、携帯電話機などの携帯端末に組み込まれることが多くなっている。このため、デジタルカメラの小型化が要求されている。【００１６】
特許文献１に記載のデジタルカメラのように、静止画像の撮影のための専用のセンサが、動画像の撮影のための専用のセンサと別に設けられると、デジタルカメラは大きくなる。また、プレビュー用の動画像の表示機能をデジタルカメラから外し、ファインダー（構図確認用覗き窓）にて所望の被写体を撮影することも可能であるが、この場合もデジタルカメラは大きくなる。【００１７】
本発明の目的は、大型化を抑制しながら、所望の被写体を撮影することが可能な画像処理回路、携帯端末およびセンサ制御方法を提供することである。
【課題を解決するための手段】
【００１８】
上記の目的を達成するために、本発明の画像処理回路は、露光によって画像を表す画像信号を出力するイメージセンサと、前記イメージセンサの露光を遮断可能なメカニカルシャッタと、を制御し、また、シャッタボタンと接続された画像処理回路であって、前記イメージセンサから定期的に前記画像信号を出力する動画モードと、前記イメージセンサから静止画像用の前記画像信号を出力する静止画撮影モードと、を有するセンサ制御部と、前記メカニカルシャッタが開いた状態で前記センサ制御部が前記動画モードで駆動している際に前記シャッタボタンが操作されると、前記センサ制御部の駆動を停止し、その後、前記イメージセンサを所定の露光時間だけ露光した後に前記メカニカルシャッタを閉じ、前記メカニカルシャッタが閉じている間に前記センサ制御部のモードを前記静止画撮影モードに切り替える撮像制御部と、を含む。【００１９】
また、本発明のセンサ制御方法は、露光によって画像を表す画像信号を出力するイメージセンサから定期的に前記画像信号を出力する動画モードと前記イメージセンサから静止画像用の前記画像信号を出力する静止画撮影モードとを有するセンサ制御部を含み、前記イメージセンサと、前記イメージセンサの露光を遮断可能なメカニカルシャッタと、を制御し、また、シャッタボタンと接続された画像処理回路が行うセンサ制御方法であって、前記メカニカルシャッタが開いた状態で前記センサ制御部が前記動画モードで駆動している際に前記シャッタボタンが操作されると、前記センサ制御部の駆動を停止する停止ステップと、前記イメージセンサを所定の露光時間だけ露光した後に前記メカニカルシャッタを閉じる閉鎖ステップと、前記メカニカルシャッタが閉じている間に前記センサ制御部のモードを前記静止画撮影モードに切り替える切替ステップと、を含む。【００２０】
また、本発明の携帯端末は、撮影機能つき携帯端末であって、露光によって画像を表す画像信号を出力するイメージセンサと、前記イメージセンサの露光を遮断可能なメカニカルシャッタと、シャッタボタンと、前記イメージセンサから定期的に前記画像信号を出力する動画モードと、前記イメージセンサから静止画像用の前記画像信号を出力する静止画撮影モードと、を有するセンサ制御部と、前記メカニカルシャッタが開いた状態で前記センサ制御部が前記動画モードで駆動している際に前記シャッタボタンが操作されると、前記センサ制御部の駆動を停止し、その後、前記イメージセンサを所定の露光時間だけ露光した後に前記メカニカルシャッタを閉じ、前記メカニカルシャッタが閉じている間に前記センサ制御部のモードを前記静止画撮影モードに切り替える撮像制御部と、を含む。【００２１】
また、本発明の携帯端末が行うセンサ制御方法は、露光によって画像を表す画像信号を出力するイメージセンサと、前記イメージセンサの露光を遮断可能なメカニカルシャッタと、シャッタボタンと、前記イメージセンサから定期的に前記画像信号を出力する動画モードと前記イメージセンサから静止画像用の前記画像信号を出力する静止画撮影モードとを有するセンサ制御部と、を含む携帯端末が行うセンサ制御方法であって、記メカニカルシャッタが開いた状態で前記センサ制御部が前記動画モードで駆動している際に前記シャッタボタンが操作されると、前記センサ制御部の駆動を停止する停止ステップと、前記イメージセンサを所定の露光時間だけ露光した後に前記メカニカルシャッタを閉じる閉鎖ステップと、前記メカニカルシャッタが閉じている間に前記センサ制御部のモードを前記静止画撮影モードに切り替える切替ステップと、を含む。【００２２】
上記の発明によれば、メカニカルシャッタが開いた状態でセンサ制御部が動画モードで駆動している際にシャッタボタンが操作されると、センサ制御部の駆動が停止される。その後、イメージセンサが所定の露光時間だけ露光された後に、メカニカルシャッタが閉じる。また、メカニカルシャッタが閉じている間に、センサ制御部のモードが静止画撮影モードに切り替えられる。【００２３】
このため、動画モードおよび静止画撮影モードのそれぞれの専用のイメージセンサが設けられなくても、また、ファインダーが設けられなくても、モードが切り替えられてから露光を開始するより早く、露光を開始することが可能になる。したがって、大型化を抑制しながら、所望の被写体を撮影することが可能になる。【００２４】
また、前記イメージセンサから画像信号を受け付け、該画像信号に画像処理を施す画像処理部をさらに含み、前記撮像制御部は、前シャッタボタンが操作されると、前記画像処理部の駆動をさらに停止することが望ましい。【００２５】
上記の発明によれば、シャッタボタンが操作されると、画像処理がさらに停止される。このため、画像処理が完了してからモードが切り替えられえるより早く、露光を開始することが可能になる。
【発明の効果】
【００２６】
本発明によれば、大型化を抑制しながら、所望の被写体を撮影することが可能になる。
【図面の簡単な説明】
【００２７】
【図１】従来のデジタルカメラの動作の一例を説明するためのタイムチャートである。
【図２】本発明の一実施例の携帯端末の構成を示したブロック図である。
【図３】携帯端末の動作の一例を説明するためのタイムチャートである。
【図４】携帯端末の動作の一例を説明するためのフローチャートである。
【発明を実施するための最良の形態】
【００２８】
以下、本発明の実施例について図面を参照して説明する。【００２９】
図２は、本発明の一実施例の携帯端末の構成を示したブロック図である。携帯端末は、例えば、携帯電話機である。なお、携帯端末は、携帯電話機に限らず適宜変更可能である。また、携帯端末には、撮影機能がついている。【００３０】
図２において、携帯端末は、カメラ１と、本体部１００とを含む。【００３１】
カメラ１は、撮像部２と、画像処理回路３とを含む。【００３２】
撮像部２は、露光によって画像を表す画像信号を画像処理回路３に出力する。【００３３】
撮像部２は、メカニカルシャッタ２１と、撮影レンズ２２と、イメージセンサ２３とを含む。【００３４】
メカニカルシャッタ２１は、例えば、レンズシャッタまたはフォーカルプレーンシャッタである。なお、メカニカルシャッタ２１は、レンズシャッタまたはフォーカルプレーンシャッタに限らず適宜変更可能である。【００３５】
メカニカルシャッタ２１は、イメージセンサ２３の露光を遮断可能である。【００３６】
撮影レンズ２２は、被写体の光像をイメージセンサ２３に結像させる。なお、撮影レンズ１１は、フォーカスレンズおよびズームレンズを含んでも良い。【００３７】
イメージセンサ２３は、例えば、ＣＭＯＳイメージセンサまたはＣＣＤイメージセンサである。なお、イメージセンサ２３は、ＣＭＯＳイメージセンサまたはＣＣＤイメージセンサに限らず、適宜変更可能である。【００３８】
イメージセンサ２３は、露光によって画像を表す画像信号を出力する。【００３９】
具体的には、イメージセンサ２３は、露光によって電荷を蓄える複数の受光素子を含み、各受光素子に蓄えられた電荷を読み出し、その電荷に応じた画像信号を出力する。なお、各受光素子は、縦および横方向の２次元に配置される。また、イメージセンサ２３は、電子シャッタを有し、電荷を読み出す際に、その電子シャッタを閉じて２重露光を防止する。【００４０】
また、イメージセンサ２３は、各受光素子に蓄えられた電荷を破棄する。この場合、イメージセンサ２３は、電子シャッタを閉じてからその電荷を破棄する。【００４１】
イメージセンサ２３による画像信号の出力、電子シャッタの開閉および電荷の破棄は、センサ制御部３１からの制御信号に応答して行われる。【００４２】
画像処理回路３は、撮像部２の動作を制御する。また、画像処理部３は、撮影部２から画像信号を受け付け、その画像信号に画像処理を施す。なお、画像処理回路３は、例えば、ＩＳＰである。【００４３】
画像処理回路３は、センサ制御部３１と、受付部３２と、信号処理部３３と、画像処理部３４と、条件作成部３５と、シャッタ制御部３６と、撮像制御部３７と、出力部３８とを含む。【００４４】
センサ制御部３１は、動画モードおよび静止画撮影モードを有し、どちらか一方のモードで駆動する。【００４５】
動画モードは、イメージセンサ２３から定期的に画像信号を出力するモードであり、使用者が静止画像を撮影するためのプレビュー用の画像（動画像）を撮影するモードである。なお、動画モードにおいて、画像信号を出力する時間間隔は、例えば、１／６０秒または１／３０秒である。【００４６】
静止画撮影モードは、イメージセンサ２３から静止画像用の画像信号を出力するモードであり、静止画像を撮影するモードである。【００４７】
また、電荷が読み出される受光素子の数が多いほど、画像の画質は向上するが、フレームレート（電荷の読み出し速度）は、遅くなる。したがって、動画モードで電荷が読み出される受光素子の数は、フレームレートを速くするために、静止画撮影モードで電荷が読み出される受光素子の数より少ないことが望ましい。【００４８】
例えば、センサ制御部３１は、静止画撮影モードでは、全ての受光素子に蓄えられた電荷を読み出し、動画モードでは、全体の３分の１の受光素子に蓄えられた電荷を読み出す。【００４９】
受付部３２は、静止画像を撮影する旨の撮影指示と、プレビュー用の動画像を撮影する旨の開始指示を本体部１００から受け付ける。【００５０】
信号処理部３３は、少なくともＡ／Ｄ変換器を含み、イメージセンサ２３から画像信号を受け付け、その画像信号をデジタル信号に変換する。【００５１】
画像処理部３４は、イメージセンサ２３から画像信号を受け付ける。具体的には、画像処理部３４は、イメージセンサ２３から信号処理部３３にてデジタル信号に変換された画像信号（以下、ＲＡＷデータと呼ぶ）を受け付ける。【００５２】
画像処理部３４は、そのＲＡＷデータに画像処理を施して画像処理データを作成する。画像処理は、例えば、黒レベル補正処理、ＷＢ補正処理、γ補正処理および画像圧縮処理等である。なお、画像処理は、黒レベル補正処理、ＷＢ補正処理、γ補正処理および画像圧縮処理に限らず適宜変更可能である。【００５３】
条件作成部３５は、画像処理部３４が作成した画像処理データに基づいて、静止画用の画像信号を出力するための露光条件を作成する。露光条件は、少なくとも、その画像信号を出力するための露光の時間を示す。【００５４】
シャッタ制御部３６は、メカニカルシャッタ２１の開閉を制御する。シャッタ制御部３６によるメカニカルシャッタ２１の開閉は、撮像制御部３７からのシャッタ制御信号に応答して行われる。【００５５】
撮像制御部３７は、メカニカルシャッタ２１、センサ制御部３１、信号処理部３３、画像処理部３４および条件作成部３５の動作を制御する。【００５６】
撮像制御部３７は、受付部３２が開始指示を受け付けると、メカニカルシャッタ２１の開放を示すシャッタ制御信号をシャッタ制御部３６に出力して、メカニカルシャッタ２１を開く。【００５７】
撮像制御部３７は、メカニカルシャッタ２１を開くと、センサ制御部３１に動画モードを設定し、その後、センサ制御部３１を駆動する。これにより、メカニカルシャッタ２１が開いた状態でセンサ制御部３１が動画モードで駆動する。【００５８】
撮像制御部３７は、受付部３２が撮影指示を受け付けると、センサ制御部３１、信号処理部３３および画像処理部３４の駆動を停止する。【００５９】
撮像制御部３７は、センサ制御部３１、信号処理部３３および画像処理部３４の駆動を停止した後、所定の時間だけイメージセンサ２３を露光した後にメカニカルシャッタ２１を閉じる。また、撮像制御部３７は、メカニカルシャッタ２１が閉じている間にセンサ制御部３１の駆動モードを切り替えて、センサ制御部３１を駆動する。【００６０】
なお、所定の時間は、撮像制御部３７が条件作成部３５に露光条件を作成させ、その露光条件が示す時間が望ましいが、予めその時間が設定されていれば、設定されている時間でも良い。【００６１】
メカニカルシャッタ２１が閉じている間は、イメージセンサ２３は露光しないため、イメージセンサ（具体的には、受光素子）に蓄えられた電荷は保持される。このため、撮像制御部３７が、メカニカルシャッタ２１を閉じている間に、センサ制御部３１のモードを動画モードから静止画撮影モードに切り替え、その後、センサ制御部３１が各受光素子に蓄えられた電荷を読み出し、その電荷に応じた画像信号を出力しても問題はない。【００６２】
本体部１００は、操作入力部１０１と、入力部１０２と、本体制御部１０３と、表示部１０４と、送信部１０５とを含む。【００６３】
操作入力部１０１は、開始入力部１０１ａと、シャッタボタン１０１ｂとを含む。【００６４】
開始入力部１０１ａは、例えば、ボタンであり、ユーザにて操作されると、開始指示を本体制御部１０３に出力する。【００６５】
シャッタボタン１０１ｂは、ユーザにて操作されると、撮影指示を本体制御部１０３に出力する。【００６６】
入力部１０２は、カメラ１から画像処理データを受け付ける。【００６７】
本体制御部１０３は、入力部１０２が画像処理データを受け付けると、その画像処理データを表示部１０４に表示する。【００６８】
また、本体制御部１０３は、シャッタボタン１０１ｂが操作されると、撮影指示をカメラ１の受付部３２に出力する。さらに、本体制御部１０３は、開始入力部１０１ａが操作されると、開始指示をカメラ１の受付部３２に出力する。【００６９】
なお、受付部３２がその撮影指示を受け付けると、撮像制御部３７は、センサ制御部３１、信号処理部３３および画像処理部３４の駆動を停止する。このため、撮像制御部３７は、シャッタボタン１０１ｂが操作されると、センサ制御部３１、信号処理部３３および画像処理部３４の駆動を停止することになる。【００７０】
表示部６は、例えば、ＬＣＤである。なお、表示部６は、ＬＣＤに限らず適宜変更可能である。【００７１】
次に動作の概要を説明する。【００７２】
図３は、携帯端末の動作の概要を説明するためのタイムチャートである。携帯端末は、動画モードで駆動し、その後、シャッタボタンが操作されて、静止画撮影モードに切り替えられたとする。【００７３】
イメージセンサ２３は、露光によって電荷を蓄え（露光１２「画１」）、その電荷に応じた画像信号を出力する（センサ出力１１「画１」）。【００７４】
画像処理部３４は、その画像信号を受け付け（取込１４「画１」）、その画像信号に画像処理を施して画像処理データを作成し、その画像処理データを出力する（ＩＳＰ出力１５「画１」）。【００７５】
一方、イメージセンサ２３は、その画像信号を出力すると、次の画像信号のために露光する（露光１２「画２」）。これにより、イメージセンサ２３の露光（露光１２）と、画像処理部３４による画像信号への画像処理（取込１４およびＩＳＰ出力１５）とが同時に行われる。【００７６】
イメージセンサ２３が露光（露光１２「画２」）している間にシャッタボタンが押下されると（シャッタ押下１７）、撮像制御部３７は、センサ制御部３１、信号処理部３３および画像処理部３４の駆動を停止する。【００７７】
この時、例えば、本体制御部１０３が画像処理部３４による画像処理データの出力が完了した後にその画像処理データを表示部１０４に表示していたとすると、画像処理が停止されるので、画像処理データ（画１）は表示されない。この場合、シャッタボタン１０１ｂが操作されると、表示部１０４では、画像処理が停止される前に出力が完了した画像処理データ（画０）が表示された状態で、動画像の表示が停止される。【００７８】
撮像制御部３７が、センサ制御部３１、信号処理部３３および画像処理部３４の駆動を停止すると、その後、所定の時間だけイメージセンサ２３を露光する（ＩＳＰ内部処理１６「露光待ち」）。【００７９】
その所定の時間が経過すると、撮像制御部３７は、メカニカルシャッタ２１を閉じ（メカニカルシャッタ１３「閉鎖」）、メカニカルシャッタ２１が閉じている間にセンサ制御部３１のモードを静止画撮影モードに切り替える（ＩＳＰ内部処理１６「切替」）。【００８０】
センサ制御部３１は、駆動モードが切り替えられると、イメージセンサ２３からその露光によって各受光素子に蓄えられた電荷を読み出し、その電荷に応じた画像信号を出力する（センサ出力１１「画３」）。画像処理部３４は、その画像信号を受け付ける（ＩＳＰ内部処理３６「取込」）。【００８１】
次に動作を説明する。【００８２】
先ず、動画像を表示する動作を説明する。【００８３】
開始入力部１０１ａは、使用者に操作されると、開始指示を本体制御部１０３に出力する。本体制御部１０３は、その開始指示を受け付けると、その開始指示を、送信部１０５を介して受付部３２に出力する。【００８４】
受付部３２は、その開始指示を受け付けると、その開始指示を撮像制御部３７に出力する。撮像制御部３７は、その開始指示を受け付ける。【００８５】
撮像制御部３７は、メカニカルシャッタ２１の開放を示すシャッタ制御信号をシャッタ制御部３６に出力する。シャッタ制御部３６は、そのシャッタ制御信号を受け付けると、メカニカルシャッタ２１を開く。【００８６】
なお、カメラ１がメカニカルシャッタ２１を開けた状態で動作を終了するように設定されていれば、撮像制御部３７は、受付部３２が開始指示を受け付けた際に、この動作をスキップすることができる。【００８７】
撮像制御部３７は、センサ制御部３１に動画モードの設定を示す設定信号を出力する。センサ制御部３１は、その設定信号を受け付けると、自己に動画モードを設定し、そのモードの設定が完了したことを示す応答信号を撮像制御部３７に出力する。撮像制御部３７は、その応答信号を受け付ける。なお、カメラ１がセンサ制御部３１に動画モードが設定された状態で動作を終了するように設定されていれば、撮像制御部３７は、この動作をスキップすることができる。【００８８】
撮像制御部３７は、動作命令をセンサ制御部３１に出力する。センサ制御部３１は、その動作命令を受け付けると、画像信号の出力を示す制御信号を定期的にイメージセンサ２３に出力する。【００８９】
イメージセンサ２３は、その制御信号を受け付けるたびに、各受光素子に蓄えられた電荷を読み出し、その電荷に応じた画像信号を信号処理部３３に出力する。イメージセンサ２３は、画像信号を出力すると、次に出力する画像信号のための露光を開始する。【００９０】
信号処理部３３は、その画像信号を受け付けると、その画像信号をデジタル信号に変換してＲＡＷデータを作成し、そのＲＡＷデータを画像処理部３４に出力する。【００９１】
画像処理部３４は、そのＲＡＷデータを受け付け、そのＲＡＷデータに画像処理を施して画像処理データを作成する。画像処理部３４は、その画像処理データを条件作成部３５に出力する。【００９２】
条件作成部３５は、その画像処理データを受け付けると、その画像処理データを自己に記録し、かつ、出力部３８を介して入力部１０２に出力する。なお、条件作成部３５は、条件作成部３５は、最後に受け付けた画像処理データだけを自己に記録し、それ以前の画像処理データを削除しても良い。【００９３】
入力部１０２は、その画像処理データを受け付けると、その画像処理データを本体制御部１０３に出力する。本体制御部１０３は、その画像処理データを受け付けると、その画像処理データを表示部１０４に表示する。【００９４】
次に、駆動モードを切り替える動作を説明する。【００９５】
図４は、駆動モードを切り替える動作を説明するためのフローチャートである。なお、センサ制御部３１に動画モードが設定されているとする。【００９６】
ステップＳ３１では、本体制御部１０３は、シャッタボタン１０１ｂから撮影指示を受け付けたか否かを判定することで、シャッタボタン１０１ｂが押下されたか否を判定する。本体制御部１０３は、シャッタボタン１０１ｂが押下されると、ステップＳ３２を実行し、シャッタボタン１０１ｂが押下されないと、ステップＳ３１を実行する。【００９７】
ステップＳ３２では、本体制御部１０３は、その撮影指示を、送信部１０５を介して受付部３２に出力する。受付部３２は、その撮影指示を受け付けると、その撮影指示を撮像制御部３７に出力する。【００９８】
撮像制御部３７は、その撮影指示を受け付けると、駆動を停止する旨の停止指示を、センサ制御部３１、信号処理部３３および画像処理部３４に出力する。【００９９】
センサ制御部３１は、その停止指示を受け付けると、電荷の読み出しを示す制御信号の出力を停止し、かつ、電荷の破棄を示す制御信号をイメージセンサ２３に出力する。イメージセンサ２３は、その制御信号を受け付けると、電子シャッタを閉じてから、各受光素子に蓄えられた電荷を破棄する。【０１００】
また、信号処理部３３は、その停止指示を受け付けると、画像信号のデジタル信号への変換を停止する。なお、信号処理部３３は、その画像信号を破棄する。【０１０１】
また、画像処理部３４は、その停止指示を受け付けると、ＲＡＷデータに施している画像処理を停止し、そのＲＡＷデータを破棄する。【０１０２】
また、撮像制御部３７は、停止指示を出力すると、ステップＳ３３を実行する。【０１０３】
ステップＳ３３では、撮像制御部３７は、露光条件を作成する旨の作成指示を条件作成部３５に出力する。条件作成部３５は、作成指示を受け付けると、最後に記録した画像処理データに基づいて露光条件を作成し、その露光条件を撮像制御部３７に出力する。撮像制御部３７は、その露光条件を受け付けると、イメージセンサ２３の電子シャッタの開放を示す開放情報をセンサ制御部３１に出力する。【０１０４】
センサ制御部３１は、その開放情報を受け付けると、電子シャッタの開放を示す制御信号をイメージセンサ２３に出力する。イメージセンサ２３は、その制御信号を受け付けると、電子シャッタを開く。【０１０５】
一方、撮像制御部３７は、開放情報を出力した後でその露光条件が示す露光時間が経過すると、ステップＳ３４を実行する。【０１０６】
ステップＳ３４では、撮像制御部３７は、メカニカルシャッタ２１の閉鎖を示すシャッタ制御信号をシャッタ制御部３６に出力する。シャッタ制御部３６は、そのシャッタ制御信号を受け付けると、メカニカルシャッタ２１を閉じる。【０１０７】
撮像制御部３７は、そのシャッタ制御信号を出力すると、ステップＳ３５を実行する。【０１０８】
ステップＳ３５では、撮像制御部３７は、駆動モードの切り替えを示す設定信号をセンサ制御部３１に出力する。センサ制御部３１は、その設定信号を受け付けると、駆動モードを静止画撮影モードに切り替える。センサ制御部３１は、駆動モードを切り替えると、駆動モードの切り替えが完了したことを示す応答信号を撮像制御部３７に出力する。【０１０９】
センサ制御部３１は、その応答信号を受け付けると、ステップＳ３６を実行する。【０１１０】
ステップＳ３６では、撮像制御部３７は、動作命令をセンサ制御部３１に出力する。【０１１１】
センサ制御部３１は、その動作命令を受け付けると、電荷の読み出しを示す制御信号をイメージセンサ２３に出力する。【０１１２】
イメージセンサ２３は、その制御信号を受け付けると、各受光素子に蓄えられた電荷を読み出し、その電荷に応じた画像信号を信号処理部３３に出力する。なお、このときイメージセンサ２３が電荷を読み出す受光素子の数は、動画モード時において、イメージセンサ２３が、画像信号の出力を示す制御信号を受信した際に、電荷を読み出す受光素子の数より多いとする。【０１１３】
信号処理部３３は、その画像信号を取り込み、その画像信をデジタル信号に変換してＲＡＷデータを作成し、そのＲＡＷデータを画像処理部３４に出力する。画像処理部３４は、そのＲＡＷデータを取り込む、そのＲＡＷデータに画像処理を施して画像処理データを作成する。画像処理部３４は、その画像処理データを条件作成部３５および出力部３８を介して入力部１０２に出力する。入力部１０２は、その画像処理データを受け付けると、その画像処理データを本体制御部１０３に出力する。本体制御部１０３は、その画像処理データを受け付けると、その画像処理データを表示部１０４に表示する。【０１１４】
本実施例によれば、センサ制御部３１は、動画モードと静止画撮影モードと有する。メカニカルシャッタ２１が開いた状態でセンサ制御部が動画モードで駆動している際にシャッタボタンが操作されると、撮像制御部３７は、センサ制御部の駆動を停止し、その後、イメージセンサ２３を所定の露光時間だけ露光した後にメカニカルシャッタ２１を閉じる。また、撮像制御部３７は、メカニカルシャッタ２１が閉じている間にセンサ制御部３１を静止画撮影モードに切り替える。【０１１５】
この場合、動画モードおよび静止画撮影モードのそれぞれのために専用のイメージセンサが設けられなくても、または、ファインダーが設けられなくても、モードが切り替えられてから露光を開始するより早く、露光を開始することが可能になる。したがって、大型化を抑制しながら、所望の被写体を撮影することが可能になる。【０１１６】
また、本実施例では、画像処理部３４は、イメージセンサ２３から画像信号を受け付け、その画像信号に画像処理を施す。また、撮像制御部３７は、シャッタボタンが操作されると、画像処理部の駆動をさらに停止する。【０１１７】
この場合、画像処理が完了してからモードが切り替えられえるより早く、露光を開始することが可能になる。【０１１８】
以上説明した実施例において、図示した構成は単なる一例であって、本発明はその構成に限定されるものではない。【０１１９】
例えば、信号処理部３３は、ＣＤＳ（相関２重サンプリング器）およびアンプなどをさらに含み、画像信号のノイズの除去および増幅などを行っても良い。この場合、信号処理部３３は、停止指示を受け付けると、画像信号のノイズの除去および増幅をさらに停止する。【０１２０】
また、メカニカルシャッタ２１は、図２では、撮影レンズ２２の前に設けられているが、撮影レンズ２２およびイメージセンサ２３の間に設けられても良い。
【図１】
2007145032.tif 000003
【図２】
2007145032.tif 000004
【図３】
2007145032.tif 000005
【図４】
2007145032.tif 000006
【国際調査報告】
2007145032.tif 000007
2007145032.tif 000008